(57)【要約】  電気モータ、発電機、または他の電磁装置を３Ｄ印刷で形成する方法である。導電性領域と積層コア、ヨークまたはその他の巻枠（１１）の領域を含む２４ｃ−２４ｓが連続的に堆積され、巻枠（１１）のスペース（２６）の内部に延びる複数の導体（１２）を構築する。導体（１２）は、その端部で相互接続されて、巻枠（１１）またはその一部の内部または周囲に巻線状構造を形成する。この方法は、巻枠（１１）で利用可能な各スペース（２６）が導体（１２）で満たされることを可能にし、それによりデバイスの効率を最大化する。【選択図】図２
2021513748.tif 000002
【特許請求の範囲】
【請求項１】
電磁気装置を形成する方法であって、
繰り返して導電体層を堆積させることを含み、
堆積された各層が、互いに電気的に絶縁され前記電磁気装置の各導電体の部分を形成する導電性材料の複数の導電性領域を含み、
繰り返された各層の各導電性領域が、隣接する層内の各導電体の導電性領域に、少なくとも部分的に重なり電気的及び機械的に接触して、互いに電気的に絶縁された複数の細長の導電体を形成し、
各層が、前記導電性領域から電気的に絶縁された、少なくとも１つの巻枠材料の領域を含み、
繰り返された各層の巻枠材料の各領域が、隣接する層内の巻枠材料の各領域に重なり機械的に接触して、前記導電体から電気的に絶縁され前記導電体と同じ長さに延びる細長の巻枠を形成する、
方法。
【請求項２】
前記各層の導電性領域が、その層内のその他の領域の少なくともいくつかと等しい断面積を有するように堆積される、
請求項１に記載の方法。
【請求項３】
幾つかの導電体の端部が他の導電体の端部と相互接続部によって相互接続されて、前記電磁気装置の巻線ターンを形成する、
請求項１又は２に記載の方法。
【請求項４】
前記相互接続部が、繰り返し相互接続層を堆積させることによって形成され、
各層が、互いに電気的に絶縁され前記電磁気装置の各相互接続部の部分を形成する、導電性材料の複数の領域を含み、
繰り返された各層の各領域が、隣接する層内の各相互接続部の領域に重なり電気的及び機械的に接触して、互いに電気的に絶縁され少なくとも１つの細長の導電体の端部に電気的に接続された複数の相互接続部を形成する、
請求項３に記載の方法。
【請求項５】
幾つかの導電体の端部が、使用時に前記導電体へ及び／又は前記導電体から電流を運ぶ接続部に接続される、
請求項１〜４のいずれか一項に記載の方法。
【請求項６】
前記接続部が、繰り返して接続層を堆積させることによって形成され、
各層が、互いに電気的に絶縁され前記電磁気装置の各接続部の部分を形成する、導電性材料の複数の領域を含み、
繰り返された各層の各領域が、隣接する層内の各接続部の領域に重なり電気的及び機械的に接触して、互いに電気的に絶縁され少なくとも１つの細長の導電体の端部に電気的に接続された複数の接続部を形成する、
請求項５に記載の方法。
【請求項７】
各導電体層が、材料が堆積されていない少なくとも１つの空間を設けるように堆積され、
繰り返された各導電体層の各空間が、隣接する前記層内の各空間に重なって、前記導電体と同じ長さに延びる細長の空隙を形成する、
請求項１〜６のいずれか一項に記載の方法。
【請求項８】
別体の巻枠部材が、前記空間又は各空間に挿入される、
請求項７に記載の方法。
【請求項９】
複数の部分を含む別体の巻枠部材が、前記各空間にそれぞれ挿入される部分を有する、
請求項８に記載の方法。
【請求項１０】
前記巻枠が、第１巻枠材料の層と第２巻枠材料の層とを順番に堆積させて積層構造を形成することによって形成される、
請求項１〜７のいずれか一項に記載の方法。
【請求項１１】
前記巻枠が、強磁性材料の巻枠材料の層と絶縁性巻枠材料の層とを繰り返し堆積させて積層構造を形成することによって形成される、
請求項１０に記載の方法。
【請求項１２】
前記強磁性材料が、磁区及び又は磁性粒子が好ましい磁気回路方向に整列するように、又は改良されるように改良される、
請求項１１に記載の方法。
【請求項１３】
前記巻枠の各領域に、異なる磁性特性をもつ複数の強磁性材料を堆積させることを含む、
請求項１１又は１２に記載の方法。
【請求項１４】
繰り返して前記導電体層を堆積させることを含み、
各導電性領域が、各導電性領域を層内の隣接する領域から電気的に絶縁する絶縁材料の絶縁領域によって囲まれ、
繰り返された各層の各絶縁領域が、隣接する層内の各絶縁領域に重なって、各導電体の周りに絶縁性の囲みを形成する、
請求項１〜１３のいずれか一項に記載の方法。
【請求項１５】
前記繰り返された導電体層を堆積させることを含み、
各層が、空間を囲む材料の少なくとも１つの壁領域を含み、
繰り返された各層の、壁に囲まれた各領域が、隣接する層の各壁に囲まれた領域に重なって流路を形成する、
請求項１〜１４のいずれか一項に記載の方法。
【請求項１６】
前記層が３次元プリンティング技術によって堆積される、
請求項１〜１５のいずれか一項に記載の方法。
【請求項１７】
前記層が蒸着によって堆積される、
請求項１〜１６のいずれか一項に記載の方法。
【請求項１８】
回転軸を有する電気機械を形成する請求項１〜１７のいずれか一項に記載の方法であって、
前記層が、前記電気機械の前記回転軸の方向に繰り返し堆積される
方法。
【請求項１９】
電磁気装置を形成する方法であって、
繰り返し層を堆積させることを含み、
堆積された各層が、巻枠材料の少なくとも１つの領域を含み、
繰り返された各層の巻枠材料の各領域が、隣接する層内の巻枠材料の各領域に重なり、機械的に接触して前記電磁気装置の巻枠を形成し、
その後、コイルが前記巻枠の周りに配置される
方法。
【請求項２０】
前記巻枠が、第１巻枠材料の層と第２巻枠材料の層とを順番に堆積させて積層構造を形成することによって形成される、
請求項１９に記載の方法。
【請求項２１】
前記巻枠が、強磁性材料の巻枠材料の層と絶縁性巻枠材料の層とを繰り返し堆積させて積層構造を形成することによって形成される、
請求項２０に記載の方法。
【請求項２２】
前記強磁性材料が、磁区及び又は磁性粒子が好ましい磁気回路方向に整列するように、又は改良されるように処理される、
請求項２１に記載の方法。
【請求項２３】
前記巻枠の各領域に、異なる磁性特性をもつ複数の強磁性材料を堆積させることを含む、
請求項２１又は２２に記載の方法。
【発明の詳細な説明】
【技術分野】
【０００１】
本発明は電磁気装置に関し、より詳細には、モータ及び発電機等の電気機械に関するが、それらに限定はされない。
【背景技術】
【０００２】
ソレノイド、変圧器、コイル、インダクタ、チョーク、モータ、及び発電機等、膨大な数の電磁気装置が毎年製造されている。このような装置の大多数が、積層回転子、積層固定子、コア、ヨーク、又は他の巻枠の周りに巻かれた、絶縁された導電体の形態の電気巻線を有している。このような装置の多くにおいて、導電体は、空隙又はいわゆるスロット内で巻かれている。電磁気装置の充填率は、空隙中の全ての導電体（いかなる絶縁体も除く）の合計断面積の、その空隙の断面積に対する比率として定義される。
【０００３】
理想的には、利用可能な空隙領域は、絶縁された導電体によって完全に満たされるべきであるが、絶縁された導電体の断面形状及び／又は空隙の断面形状の不一致のために高い充填率が実現されていない。このため、ほとんどの電磁気装置は、充填率が低く、絶縁された導電体と隣接する絶縁された導電体及び／又はスロットの側壁との間に延びるエアギャップを含んでいる。電磁気装置の中には、巻線を巻枠無し、つまりヨークレスで使用するものもあるが、このような装置も、巻かれたときには同じ又は類似した問題が発生する。
【０００４】
高い充填率の電磁気装置は、巻線を高密度に詰め込む必要があり時間がかかるため、製造が難しくコスト高となる。巻線を空隙に挿入するための機械が知られているが、この工程では巻線端部が長くなり巻線抵抗が増加し、追加の空間が必要になる。空隙充填率は、典型的には約４０〜５０％であり、一部の高い充填率の場合、約６０％〜７０％である。このような高充填率の巻線の１つが、モータや発電機で使用される、いわゆるヘアピン巻線である。ヘアピン巻線では、巻線が個々のヘアピンに類似し、典型的には矩形ワイヤで作られ、積層スロットに一方の端部から押し込まれる。ヘアピンの端部を半田付けして巻線が完成する。この方法は複雑で接合部が多い。これらの接合部が継続的に高い振動を受けると、信頼性の問題につながる可能性がある。
【０００５】
特許文献１、特許文献２、及び特許文献３には、電磁気装置を形成する方法であって、その方法は繰り返し堆積された層を含み、各堆積層が、互いに電気的に絶縁されその装置の各導電体の部分を形成する前記導電性材料の複数の導電性領域を含み、繰り返された各層の各導電性領域が、隣接する層内の各導電体の導電性領域に少なくとも部分的に重なり電気的及び機械的に接触して、互いに電気的に絶縁された複数の細長の導電体を形成する方法が開示されている。
【先行技術文献】
【特許文献】
【０００６】
【特許文献１】中国特許出願公開第１０７１７０５６４号明細書
【特許文献２】独国特許出願公開第１０２０１３２１４１２８号明細書
【特許文献３】特開平５−２８３２５９号
【発明の概要】
【０００７】
本発明は、第１の態様からわかるように、電磁気装置を形成するための、特許文献１、特許文献２、及び特許文献３で開示されている種類の方法を提供する。本方法は、各層が、更に、導電性領域から電気的に絶縁された、少なくとも１つの巻枠材料の領域を含み、繰り返された各層の巻枠材料の各領域が、隣接する層内の巻枠材料の各領域に重なり、機械的に接触して細長の巻枠を形成し、その巻枠が、導電体から電気的に絶縁され、導電体と同じ長さに延びていることを特徴とする。
【０００８】
本発明の方法は、導電体で形成された各領域と巻枠材料とを有する層を堆積させることを含み、それにより、導電体及び巻枠が堆積によって層内に同時に形成される。各導電性領域の形状は、各導電性領域が隣接する導電性領域に可能な限り近くなるように構成することができる。また、本発明の方法によって、導電性領域の形状を、堆積された巻枠領域によって形成されたスロット又は他の空隙内で導電性領域が可能な限り密着するように構成することができる。この方法によって、エアギャップが最小となり、利用可能な空間中の導電体の密度が最大となる。
【０００９】
本方法は、前記繰り返された層を堆積させることを含み、各層が、複数の導電性領域と、導電性領域から電気的に絶縁された、少なくとも１つの巻枠材料の領域とを含み、繰り返された各層の巻枠材料の各領域が、隣接する層内の巻枠材料の各領域に重なり、機械的に接触して、導電体から電気的に絶縁され導電体と同じ長さに延びる細長の巻枠を形成してもよい。この方法において、導電体と巻枠は、堆積によって同時に形成される。
【００１０】
１つの層の領域は、その層内のその他の領域の少なくともいくつかと等しい断面積を有するように堆積させてもよい。
【００１１】
いくつかの導電体の端部を、他の導電体の端部に相互接続部によって相互接続して従来の巻線型電磁気装置の巻線に類似した電磁気装置の巻線ターンを形成してもよい。相互接続部は、繰り返して層を堆積させることによって形成され、各層が、互いに電気的に絶縁されその装置の各相互接続部の部分を形成する前記導電性材料の複数の領域を含み、繰り返された各層の各領域が、隣接する層内の各相互接続部の領域に重なり、電気的及び機械的に接触して、互いに電気的に絶縁され少なくとも１つの細長の導電体の端部に電気的に接続された複数の相互接続部を形成してもよい。
【００１２】
いくつかの導電体の端部を、電流を導電体へ及び／又は導電体から伝えるワイヤ、端子、又は他の接続部に接続してもよい。接続部は、繰り返し層を堆積させることによって形成され、各層が、互いに電気的に絶縁され、その装置の各接続部の部分を形成する前記導電性材料の複数の領域を含み、繰り返された各層の各領域が、隣接する層内の各接続部の領域に重なり電気的及び機械的に接触して、互いに電気的に絶縁され少なくとも１つの細長の導電体の端部に電気的に接続された複数の接続部を形成してもよい。
【００１３】
各層が、材料が堆積されていない少なくとも１つの空間を設けるように堆積され、繰り返された各層の各空間は、隣接する層内の各空間に重なって、導電体と同じ長さに延びる細長の空隙を形成してもよい。空隙は、冷却用流路として機能してもよく、又は隣接する導電体を絶縁する働きをしてもよい。
【００１４】
別体の巻枠部材を前記又は各空隙に挿入してもよい。別体の巻枠部材は、各空隙中に延びる複数の部分を含んでもよい。接続部及び／又は相互接続部は、別体の巻枠部材を前記又は各空隙に挿入した後に形成してもよい。
【００１５】
巻枠は、第１巻枠材料の層と第２巻枠材料の層とを繰り返し堆積させて積層構造を形成することによって積層形成してもよい。第１巻枠材料は、強磁性材料であってもよく、第２材料は、絶縁材料であってもよい。
【００１６】
巻枠材料は、例えば、磁場及び／又はレーザースクライビングによって、磁区及び又は磁性粒子が好ましい磁気回路方向に整列するように、又は改良されるように処理してもよい。このプロセスによって、コア損失が減少し、装置の効率が大幅に向上する。
【００１７】
本方法は、巻枠のそれぞれの領域に異なる磁性特性をもつ複数の軟磁性材料を堆積させることを含んでもよい。例えば、電気機械において、巻枠の各ティースの先端を高い飽和磁束密度をもつ高価な材料を使用して形成し、ティースの本体を別の混合材で形成し、巻枠の残りの部分を安価な材料で形成することによって、ハイブリッド巻枠を形成することができる。
【００１８】
本方法は、前記繰り返された層を堆積させることを含み、各層が前記複数の導電性領域を含み、各導電性領域が、各導電性領域を層内の隣接する領域から電気的に絶縁する絶縁材料の絶縁領域によって囲まれ、繰り返された各層の各絶縁領域が、隣接する層内の各絶縁領域の重なって、各導電体の周りに絶縁性の囲みを形成してもよい。
【００１９】
層は、３次元プリンティング及び／又は蒸着によって堆積させてもよい。マルチヘッドマシンは、実質的に、全てのプラスチック、金属、及び磁気コンポーネントを含む完全な電磁気装置の機械を「プリント」することが可能である。一部の部品は、強度を高めるためにカーボンファイバー又はケブラー繊維を使用して形成することができる。
【００２０】
異なる複数の導電性材料を堆積させてもよい。スタネン、銀、銅、又は金を選択的に堆積させることによって電流密度を変化させてもよく、銅及び／又はアルミニウムを選択的に堆積させることによって質量を変化させてもよい。
【００２１】
本方法は、前記繰り返された層を堆積させることを含み、各層が、前記複数の導電性領域と空間を囲む材料の少なくとも１つの壁領域とを含み、繰り返された各層の、壁に囲まれた各領域が、隣接する層の各壁に囲まれた領域に重なって流路を形成してもよい。使用時には、冷却用流体を流路に沿って流すことができる。壁に囲まれた領域は、巻枠として機能してもよい。
【００２２】
本方法は、回転軸を有する電気機械を形成する方法であって、層が、機械の回転軸の方向に繰り返し堆積されてもよい。
【００２３】
上記方法によって、国際公開第２００５／０４３７４０号に開示されている種類の巻線を堆積させて、電気モータ及び発電機用の複数の巻線構成を提供することができる。
【００２４】
本発明の利点は、各相において相巻線抵抗が同じになることである。これは、従来の方法で巻かれた電気機械では常にそうであるとは限らず、相の不均衡及び望ましくない循環電流が発生する。
【００２５】
本発明は、第２の態様からわかるように、電磁気装置を形成する方法であって、繰り返された層を堆積させることを含み、各堆積層が、少なくとも１つの巻枠材料の領域を含み、繰り返された各層の巻枠材料の各領域が、隣接する層内の巻枠材料の各領域に重なり機械的に接触して装置の巻枠を形成し、その後、コイルが巻枠の周りに配置される方法を提供する。
【００２６】
巻枠は、第１巻枠材料の層と第２巻枠材料の層とを堆積させて積層構造を形成することによって形成してもよい。第１巻枠材料は、強磁性材料であってもよく、第２材料は、絶縁材料であってもよい。
【００２７】
巻枠材料は、例えば、磁場及び／又はレーザースクライビングによって、磁区及び又は磁性粒子が好ましい磁気回路方向に整列するように、又は改良されるように処理してもよい。このプロセスによって、コア損失が減少し、装置の効率が大幅に向上する。
【００２８】
本方法は、巻枠のそれぞれの領域に異なる磁性特性をもつ複数の軟磁性材料を堆積させることを含んでもよい。例えば、電気機械において、巻枠の各ティースの先端を高い飽和磁束密度をもつ高価な材料を使用して形成し、ティースの本体を別の混合材で形成し、巻枠の残りの部分を安価な材料で形成することによって、ハイブリッド巻枠を形成することができる。
【００２９】
本発明の実施形態を、単に例として、添付図面を参照して以下に説明する。
【図面の簡単な説明】
【００３０】
【図１】図１は、本発明に従って形成されたモータの固定子の断面図である。
【図２】図２は図１のｉｉ−ｉｉ線に沿った断面図である。
【図３】図３は、図１の固定子が部分的に形成されたときの斜視図である。
【図４】図４は、図１の固定子の上方からの斜視図である。
【図５】図５は、図１の固定子の上方からの斜視図であり、相互接続部を示す図である。
【図６】図６は、本発明の方法の別の実施形態において使用されるヨークの上方からの斜視図である。
【発明を実施するための形態】
【００３１】
図面中の図１〜図５に、本発明に従って形成された電気モータの固定子１０を示す。固定子１０は環状であり、層、例えば、２４Ａ〜２４Ｗ（図２参照）を固定子１０の軸方向において一方の軸端部から他方の軸端部へと正しくプリンティングすることによって形成されている。まず、底端部層、例えば２４Ａ〜２４Ｃを堆積させる。底端部層は、固定子１０の各導電体１２の間の接続部１７を形成する、銅又は他の導電性材料の領域を含む。
【００３２】
次に、複数の導電体１２が、繰り返された層、例えば２４Ｄ〜２４Ｔをプリンティングすることによって形成される。各層は、導電性材料の複数の導電性領域を含み、複数の導電性領域は、互いに電気的に絶縁され、それぞれ固定子１０の各導電体１２の部分を形成している。繰り返された各層、例えば２４Ｋの各導電性領域は、前の層、例えば２４Ｊの各導電体の導電性領域に部分的に重なり電気的及び機械的に接触して、互いに電気的に絶縁された複数の細長の導電体１２を形成している。隣接する導電体１２は、ギャップ１４によって隣接する導電体から電気的に絶縁されている。ギャップ１４は空気を含んでもよい。別の実施形態においては、ギャップ１４は、導電体１２と同時に層状にプリンティングされる絶縁材料を含んでもよい。この絶縁材料は、各導電体１２を取り囲んでもよく、ギャップ１４を部分的又は完全に埋めてもよい。ギャップは、各層を堆積させた後、絶縁材料で満たしてもよい。
【００３３】
固定子１０は、放射状に延びたティース１３を有する積層された環状のヨーク又は巻枠１１を含む。ヨーク１１は、繰り返された各層、例えば２４Ｄ〜２４Ｔのヨーク材料の領域をプリンティングすることによって形成されている。巻枠材料の領域は、導電体１２の周りの空気及び／又は絶縁材料によって、各層の導電性領域から電気的に絶縁されている。ヨーク１１は、第１軟磁性巻枠材料の層１５及び絶縁性巻枠材料の層１６を繰り返し堆積させて積層構造を形成することによって形成されている。繰り返された各層の巻枠材料の各領域は、前の層の巻枠材料のそれぞれの領域に重なり機械的に接触して、所望の断面形状を有する一体の巻枠１１を形成している。
【００３４】
ヨーク１１の各ティース１３の間には、複数のいわゆるスロット２６が形成されている。軟磁性材は、様々な特性を有してよく、例えば、ヨーク１１のティース１３を、ヨーク１１の他の部分より高い飽和磁束密度を有する、より高価な軟磁性材料で形成してもよい。各スロット２６内の各導電体１２は同じ断面積を有するようにプリンティングされている。導電体１２の形状は、導電体１２がスロット２６の領域内に、不必要なエアギャップが無い状態で密接して嵌るように選択されおり、それによってスロット２６の充填率を最大化している。導電体１２を有する最終層、例えば２６ｓが堆積された後、固定子１０の各導電体１２の間の接続部１７を形成する、銅又は他の導電性材料の領域を含む上端層、例えば２４ｔ、２４ｕが堆積される。各導電体１２の間の相互接続部１８を形成する層、及び供給端子（図示せず）を、プリンティングによって堆積させてもよい。
【００３５】
固定子１０の他の相への相互接続部１９を形成する層を堆積させてもよい。
【００３６】
これらの層は、冷却用流路５０が設けられるようにプリンティングしてもよい。冷却用流路５０は、導電体１２に沿い、導電体１２に隣接し及び／又は巻枠１１を通って延びることができる。
【００３７】
使用時には、電流ｉが、供給端子（図示せず）からモータ内に流れ込み、相互接続部１８に沿って導電体１２の１つへと流れる。その後、電流ｉは１つのスロット２６内の導電体１２を下方へ流れた後、積層された巻枠１１のティース１３の下を延びる接続部１７に沿って流れる。その後、電流ｉは、ティース１３の反対側のスロット２６内の導電体１２を上方へ流れた後、ティース１３の上側を別の導電体１２へと延びる接続部１７に沿って流れる。このプロセス、そして図１のモータがプリンティングにより形成された９つの巻線ターンを効果的に有することが理解されるであろう。
【００３８】
図面中の図６に、別の実施形態における、コアが無い状態でプリンティングされた固定子の底端部接続部１７及び導電体１２を示す。プリンティングされた導電体１２は、事前に形成されたコア（図示せず）と係合可能であり、その後、組み立て体をプリンティングして、先に説明したような必要な接続部及び相互接続部を形成することができる。
【００３９】
本発明により、固定子、回転子（図示せず）、及びモータの他の構成部品を同様な方法でプリンティングができ、モータ及び他の電磁気装置を迅速に要求に応じてプリンティング可能であることが理解されよう。
【００４０】
このように、本発明は、電気モータ、発電機、又は他の電磁気装置を３−Ｄプリンティングによって形成する方法を提供する。本方法においては、導電性領域、及び積層された、コア、ヨーク又は他の巻枠１１の領域を含む層、例えば２４ｃ〜２４ｓを繰り返し堆積し、巻枠１１内の空間２６の内部に延びる複数の導電体１２を構成する。導電体１２は、その端部で相互接続され、巻枠１１又はその一部の内部又は周囲に、巻線状の構造を形成する。本方法によって、巻枠１１内の利用可能な各空間２６を導電体１２で満たすことができ、これによって、装置の効率が最大化される。
【図１】
2021513748.tif 000003
【図２】
2021513748.tif 000004
【図３】
2021513748.tif 000005
【図４】
2021513748.tif 000006
【図５】
2021513748.tif 000007
【図６】
2021513748.tif 000008
【国際調査報告】
2021513748.tif 000009
2021513748.tif 000010